(57)【要約】【課題】通信端末装置にＵ字状のフックなどの金属部品を配置した際の、アンテナ特性の確保が行えるようにする。【解決手段】無線通信用アンテナを収納した筐体の表面に、Ｕ字状の金属部材２００を回動自在に取り付けて構成される無線通信端末装置である。Ｕ字状の金属部材２００を回動自在に取り付ける機構として、Ｕ字状の金属部材２００の一方及び他方の端部をそれぞれ個別に支持する一方及び他方の軸受け部２２０を備える。また、その一方及び他方の軸受け部とＵ字状の金属部材の一方及び他方の端部とを回動自在に接合する、一方及び他方の金属製の軸部材２４０，２５０を備える。さらに、一方及び他方の金属製の軸部材を、自身の弾性力によりＵ字状の金属部材の一方及び他方の端部と接触させる金属製のバネ部材２３０を備える。【選択図】図４
2010278915.tif 000002
【特許請求の範囲】
【請求項１】
無線通信用アンテナを収納した筐体と、
前記筐体の表面に配置されるＵ字状の金属部材と、
前記筐体に取り付けられ、前記Ｕ字状の金属部材の一方及び他方の端部をそれぞれ個別に支持する一方及び他方の軸受け部と、
前記一方及び他方の軸受け部と前記Ｕ字状の金属部材の一方及び他方の端部とを回動自在に接合する、一方及び他方の金属製の軸部材と、
前記一方及び他方の金属製の軸部材を、自身の弾性力により前記Ｕ字状の金属部材の一方及び他方の端部と接触させる金属製のバネ部材とを備えた
無線通信端末装置。
【請求項２】
前記一方及び他方の軸受け部を一体化した軸受け部材とし、前記バネ部材の一部と前記軸受け部材の一部とを重ねた状態で、その重ねた部分を前記筐体内に固定させるようにした
請求項１記載の無線通信端末装置。
【請求項３】
前記一方の軸受け部と前記他方の軸受け部との間に、端子を構成する部品を配置した
請求項１記載の無線通信端末装置。
【請求項４】
前記Ｕ字状の金属部材の配置箇所の近傍の前記筐体内に、前記無線通信用アンテナを配置した
請求項１記載の無線通信端末装置。
【発明の詳細な説明】
【技術分野】
【０００１】
本発明は、例えば携帯電話端末装置に適用して好適な無線通信端末装置に関し、特にストラップなどを取り付ける金属部材を備えた無線通信端末装置に関する。
【背景技術】
【０００２】
従来、携帯電話端末装置には、紐状のストラップを取り付けるための機構である比較的小さな孔部（いわゆるストラップホール）を設けて、その孔部にストラップを係止させる構成のものが一般的である。これに対して、より大型のストラップ（ネックストラップ）や他のアクセサリなどを端末装置本体に取り付けたい要求がある。このため、携帯電話端末装置に金属製の比較的大型のＵ字状のフックを設けて、そのフックに様々なものを取り付け可能としたものが提案されている。
特許文献１には、Ｕ字状のフックを設けた携帯電話端末装置の例についての記載がある。
【先行技術文献】
【特許文献】
【０００３】
【特許文献１】特開平５−２１９１６６号公報
【特許文献２】特開２００６−１９７２９２号公報
【発明の概要】
【発明が解決しようとする課題】
【０００４】
ところで、無線通信端末装置である携帯電話端末装置は、通信性能を向上させるためにアンテナを筐体内の適切な位置に配置する必要が一方、端末装置を構成する筐体本体の小型化により、アンテナを配置できる場所には限りがある。また、そのアンテナ特性を確保する上で、アンテナに隣接して他の金属部品が配置されていると、その金属部品とアンテナ素子とが干渉して、アンテナ特性を劣化させることがある。
特許文献２には、通信端末において、端末内に内蔵されたアンテナ素子に隣接して他の金属素子がある場合に、アンテナ特性が変化する点についての記載がある。
【０００５】
ここで、先に説明したＵ字状の金属部品よりなるフックを通信端末に設けた場合に、その近傍にアンテナ素子を配置することが想定される。即ち、フックは通信端末を構成する筐体の端部の近傍に配置することが想定されるが、筐体の端部近傍にはアンテナも配置される可能性が高い。このような場合、Ｕ字状のフックを設けたことで、アンテナ特性が劣化してしまうことがある。
【０００６】
特に、Ｕ字形状のフックのような環状でない形状の金属部品は、アンテナに与える影響が大きい問題がある。特許文献１に記載の構成のフックの場合には、Ｕ字状のフックの端部を閉じたリング状の形状としてあり、アンテナに与える影響を軽減させてあるが、通信端末を構成する筐体の小型化により、フックをリング型として配置するのが困難な場合も多々ある。
【０００７】
本発明はこれらの点に鑑み、通信端末装置にＵ字状のフックなどの金属部品を配置した際の、アンテナ特性の確保が行えるようにすることを目的とする。
【課題を解決するための手段】
【０００８】
本発明は、無線通信用アンテナを収納した筐体の表面に、Ｕ字状の金属部材を回動自在に取り付けて構成される無線通信端末装置である。
そして、Ｕ字状の金属部材を回動自在に取り付ける機構として、Ｕ字状の金属部材の一方及び他方の端部をそれぞれ個別に支持する一方及び他方の軸受け部を備える。また、その一方及び他方の軸受け部とＵ字状の金属部材の一方及び他方の端部とを回動自在に接合する、一方及び他方の金属製の軸部材を備える。さらに、一方及び他方の金属製の軸部材を、自身の弾性力によりＵ字状の金属部材の一方及び他方の端部と接触させる金属製のバネ部材を備える。
【０００９】
このように構成したことで、Ｕ字状の金属部材が筐体の表面に回動自在に取り付けられ、そのＵ字状の金属部材がストラップ取り付け用リングとして機能する。そして、Ｕ字状の金属部材そのものはＵ字状で端部を有する開いた形状であるが、そのＵ字状の金属部材の一方の端部と、他方の端部とが、軸部材とバネ部材とを介して導通した状態となる。このため、Ｕ字状の金属部材が電気的に閉じた金属部材となって配置され、端末装置に配置された無線通信用アンテナに与える影響を最小限に抑えることが出来る。
【発明の効果】
【００１０】
本発明によると、ストラップ取り付け用リング等として機能するＵ字状の金属部材が筐体の表面に回動自在に取り付けられ、大型のストラップ取り付け部材が配置されることになり、無線通信端末装置としての使い勝手が向上する。そして、そのＵ字状の金属部材が電気的に閉じた金属部材となって筐体表面に配置され、端末装置に配置された無線通信用アンテナに与える影響を最小限に抑えることが出来る。
【図面の簡単な説明】
【００１１】
【図１】本発明の一実施の形態の無線通信端末装置の裏面の例を示した斜視図である。
【図２】図１例の無線通信端末装置を別の方向から見た斜視図である。
【図３】本発明の一実施の形態の無線通信端末装置のリアカバーの内部の要部を示した斜視図である。
【図４】図３例のリアカバーを分解して示す分解斜視図である。
【図５】図４の各部品の接続状態を示す説明図である。
【図６】図１のＩ−Ｉ線に沿う断面図である。
【発明を実施するための形態】
【００１２】
以下の順序で本発明の実施の形態について説明する。
１．携帯電話端末装置（無線通信端末装置）の全体形状（図１，図２）
２．ストラップリングの取り付け状態の説明（図３〜図６）
３．変形例の説明
【００１３】
［１．携帯電話端末装置（無線通信端末装置）の全体形状（図１，図２）］
まず、図１及び図２を参照して、本発明の一実施の形態の例による無線通信端末装置について説明する。本実施の形態の例においては、基地局などと無線通信を行って無線電話回線に接続される携帯電話端末装置に適用した例である。
【００１４】
図１及び図２は、携帯電話端末装置１００の裏面側の全体形状を示した図である。即ち、携帯電話端末装置１００の筐体は、フロントカバー１１０とリアカバー１２０とを接合して構成される。フロントカバー１１０で構成される表面側には、図示しない表示パネルや操作キーなどが配置してある。本例の場合にはリアカバー１２０で構成される裏面部１２１には、特にキーや表示パネルは配置していないが、カメラ用のレンズなどの部品が配置される構成の場合もある。
【００１５】
そして本例の携帯電話端末装置１００のリアカバー１２０の上側の端部には、ストラップリング２００を回動自在に取り付けてある。このストラップリング２００は、ストラップなどを取り付けるためのものであり、Ｕ字状の金属部材で構成され、Ｕ字状の開いた両端部２０２，２０３をリアカバー１２０に取り付けてリング状にしてある。
即ち、Ｕ字状のストラップリング２００は、一方及び他方の端部２０２及び２０３に、透孔２１１及び２１２を設けて、後述する軸部材２４０，２５０（図５など）でリアカバー１２０に回動自在に取り付けてある。なお、本例の場合にはストラップリングと称しているが、ストラップを取り付ける用途以外に使用可能であり、いわゆるフックとして各種形態での使用が可能である。
【００１６】
リアカバー１２０にストラップリング２００を取り付けた位置の近傍の筐体内には、第１アンテナ１０１及び第２アンテナ１０２を配置してある。ここでの近傍とは、例えばストラップリング２００の配置位置から１ｃｍ以下程度の距離に配置してあることである。この２つのアンテナ１０１，１０２は、例えば無線電話用基地局と無線通信を行うためのアンテナである。但し、その他の無線信号の送信又は受信用のアンテナを、ストラップリング２００取り付け位置の近傍の筐体内に配置してもよい。例えば、近距離無線通信手段としての無線ＬＡＮ（Local Area Network）用の送受信アンテナや、Ｂｌｕｅｔｏｏｔｈ（ブルートゥース）用の送受信アンテナ、或いはＧＰＳ（Global Positioning System）と称される測位システム用の受信アンテナを配置してもよい。
【００１７】
図１（ａ）はストラップリング２００を収納した状態（即ち裏面部１２１と平行な位置となって収納された状態）を示し、図１（ｂ）は、ストラップリング２００をその状態から回動させて引き起こした状態を示す。
【００１８】
ストラップリング２００のＵ型に曲がっている箇所の途中には切り欠き部２０１を設けてある。この切り欠き部２０１を設けてあることで、裏面部１２１と平行な位置となって収納された状態から、その切り欠き部２０１に指をかけて引き起こす（回動させる）ことが容易にできる構成としてある。
また、Ｕ字状のストラップリング２００を裏面部１２１と平行な位置となって収納された状態としたとき、そのＵ字状のストラップリング２００で挟まれる裏面部１２１に段差部１３０を設けて突出させてある。この段差部を設けたことで、Ｕ字状のストラップリング２００を収納させた状態では、ストラップリング２００の表面とその間が、ほぼ同一面となる。
【００１９】
また、図１（ｂ）に示すようにストラップリング２００を引き出した状態では、携帯電話端末装置１００本体を構成する筐体の側面を下にして直立させて置いたときの支え部材としても機能する。
【００２０】
そして、図２に示すように、携帯電話端末装置１００本体を構成する筐体の上側の端面の中央には、端子部３００が配置してある。この端子部３００は、例えばイヤホンマイクやヘッドホンなどを接続するための端子として構成される。その他の携帯電話端末が備える各種端子としても良い。
【００２１】
［２．ストラップリングの取り付け状態の説明（図３〜図６）］
次に、ストラップリング２００をリアカバー１２０に取り付ける構成について、図３以降を参照して説明する。図３は、リアカバー１２０の上端部を内側から示した図であり、図４は、その図３の状態から各部品を分解して示した分解斜視図であり、図５は、図４に示した各部品の接続状態を示した図である。さらに図６は、図１のＩ−Ｉ線に沿う断面で、ストラップリング２００の取り付け部を示している。
【００２２】
図３及び図４に示したように、リアカバー１２０の内面側に取り付け機構を構成させてある。即ち、図４に示したように、リアカバー１２０の内面の先端に、後述する軸部材２４０，２５０を配置するための２箇所の開口部１２２（図４では１箇所だけを示してある）を設けてあり、その開口部１２２に隣接して、複数のピン１２３を直立させてある。リアカバー１２０は合成樹脂で成形させて構成させてあり、各ピン１２３についてもリアカバー１２０と一体に成形させて設けてある。
【００２３】
そして、図４に分解して示すように、ピン１２３を設けた箇所に、軸受け部材２２０と貫通バネ２３０とを固定する構成としてある。
軸受け部材２２０は、図５に拡大して示すように、平板部２２１に複数の取り付け用孔２２２を有し、リアカバー１２０側のピン１２３を挿通させて、溶着などで図３に示した状態に固定させる構成としてある。平板部２２１の左右の脇には直立部２２３及び２２４を設けてあり、それぞれの直立部２２３及び２２４に軸受け用孔２２５及び２２６を設けてある。本例の場合、軸受け部材２２０は、ステンレス板やアルミ板などの金属製としてあるが、必ずしも金属である必要はない。
【００２４】
貫通バネ２３０についても、図５に拡大して示すように、平板部２３１に２つの取り付け用孔２３２を有し、リアカバー１２０側のピン１２３を挿通させて、固定させる構成としてある。この場合、図３に示したように、同じピン１２３を、軸受け部材２２０の取り付け用孔２２２と貫通バネ２３０の取り付け用孔２３２とを挿通させて、重ねた状態で固定するようにしてある。
平板部２３１の左右の脇には直立部２３３及び２３４を設けてあり、それぞれの直立部２３３及び２３４に、凸部２３５及び２３６を設けてある。即ち、それぞれの凸部２３５及び２３６は、相互に外側を向いた方向（左右方向）に突出させた形状である。この凸部２３５及び２３６を設けた箇所は、貫通バネ２３０を構成する素材自身の弾性力により、外側に押す力（左右方向）が働く形状としてある。図５に示した矢印Ｐ１，Ｐ２は、この凸部２３５及び２３６から外側に向かって力が作用する方向を示したものである。本例の貫通バネ２３０は、ステンレス板やアルミ板などの金属製の薄板で構成してある。
【００２５】
そして、リアカバー１２０の内側に取り付けられた軸受け部材２２０に、ストラップリング２００を取り付ける際には、軸部材２４０及び２５０を使って、回動自在に取り付ける構成としてある。
即ち、図４及び図５に示したように、軸部材２４０，２５０として、一端側を細径部２４１，２５１とし、他端側が太径部２４２，２５２とした構成とする。軸部材２４０，２５０についてもステンレスなどの金属で構成してある。
その上で、図５に破線で示したように、軸部材２４０の細径部２４１側を、軸受け用孔２２５に挿通させ、さらにストラップリング２００の端部２０２の透孔２１１に挿通させる。反対側についても同様に、軸部材２５０の細径部２５１側を、軸受け用孔２２６に挿通させ、さらにストラップリング２００の端部２０３の透孔２１２に挿通させる。なお、軸部材２４０，２５０とストラップリング２００の透孔２１１，２１２との間の軸部材２４０，２５０には、図４，図５に示したワッシャ２６０，２７０を嵌めるようにしてある。ワッシャ２６０，２７０は例えば合成樹脂製とする。
【００２６】
そして、それぞれの軸部材２４０，２５０は、図５に示したように、軸部材２４０，２５０の太径部２４２，２５２の端部が、貫通バネ２３０の凸部２３５，２３６で外側に押し出されるような状態となる。
【００２７】
このような構成で、軸部材２４０，２５０を介して、軸受け部材２２０がストラップリング２００を回動可能に支持した状態を断面で示したのが、図６である。
図６に示したように、ストラップリング２００の透孔２１１，２１２は、軸部材２４０，２５０の細径部２４１，２５１に対応した孔径であり、軸受け部材２２０の軸受け用孔２２５，２２６は、軸部材２４０，２５０の太径部２４２，２５２に対応した孔径である。そして、図６に示すようにワッシャ２６０，２７０をストラップリング２００と軸受け部材２２０の軸受け用孔２２５，２２６との間に挟んである。
このように部材２４０，２５０を介してストラップリング２００を取り付けることで、ストラップリング２００が図１（ａ）及び（ｂ）に示したように回動可能である。
【００２８】
ここで、本例の場合には、図５などで説明した貫通バネ２３０を配置してあり、その貫通バネ２３０の直立部２３３，２３４に設けた凸部２３５，２３６で、図６に示すように軸部材２４０，２５０の端部をそれぞれ外側に押すようにしてある。その作用する力は既に説明したように図５に示した矢印Ｐ１，Ｐ２で示す方向である。
【００２９】
このように力が作用することで、図６に示すように、それぞれの軸部材２４０，２５０は、太径部２４２，２５２から細径部２４１，２５２に変化する段差部２４３，２５３が、ストラップリング２００の透孔２１１，２１２と密着し、電気的に導通する。従って、ストラップリング２００の左右の端部２０２，２０３の透孔２１１，２１２と、軸部材２４０，２５０との導通状態が確保される。さらに、貫通バネ２３０の凸部２３５，２３６と軸部材２４０，２５０とが力を持って接触することで、その貫通バネ２３０と両軸部材２４０，２５０とも密着し、電気的に導通する。
【００３０】
この結果、ストラップリング２００は、Ｕ字状に端部２０２，２０３が開いた形状であるが、その端部２０２と端部２０３とが、軸部材２４０，２５０と貫通バネ２３０を介して確実に導通した状態となり、電気的には環状に閉じた形状の導体となる。このようにストラップリング２００が電気的に環状に閉じた形状の導体となることで、図１などに示したように、ストラップリング２００の近傍にアンテナ１０１，１０２などが配置されていても、各アンテナ１０１，１０２の特性に与える影響を低減できる。もし、貫通バネ２３０を介して導通していない場合には、Ｕ字状のストラップリング２００の形状に対応して、アンテナ１０１，１０２の特性に何らかの影響を与える可能性が高いが、本例の場合にはそのようなことが効果的に阻止される。
【００３１】
また、本例の場合には、２つの軸部材２４０，２５０に分割してあり、その２つの軸部材２４０，２５０の間のスペースに、図２に示した如き端子部３００を構成する端子部品３０１を配置することが可能であり、端末装置内のスペースを有効活用できる。このことは、ストラップリング２００の配置によるアンテナ特性の劣化を防ぎながら、端末装置の小型化に貢献する構成にできる効果を有する。
【００３２】
また、本例の場合には、軸受け部材２２０の平板部２２１の一部と、貫通バネ２３０の平板部２３１とを重ねて、共通のピン１２３でリアカバー１２０側に固定するようにしたので、貫通バネ２３０の固定作業が軸受け部材２２０と同時に行える。従って、それだけ組み立て作業を簡単にすることができる。
【００３３】
［３．変形例の説明］
上述した実施の形態では、携帯電話端末装置に適用した例について説明したが、無線通信用のアンテナを備えたその他の端末装置に適用して、同様のストラップリングを取り付ける構造とすることで、同様にアンテナ特性の改善ができる効果が得られる。アンテナが無線通信を行う例についても、上述した実施の形態の中で説明した無線電話用や無線ＬＡＮ用などの例に限定されるものではない。
【００３４】
また、上述した実施の形態では、軸受け部材２２０として、左右の軸受け用孔２２５，２２６を一体に接合した形状としたが、左右別々の軸受け部材としてもよい。また、この軸受け部材２２０そのものは、上述した実施の形態では金属製としたが、ストラップリング２００の導通には殆ど影響がないので、合成樹脂部品としてもよい。
さらに、上述した実施の形態では、軸受け部材２２０と貫通バネ２３０との一部を重ねた状態で、リアカバー１２０側に固定するようにしたが、それぞれをリアカバー１２０の別の位置に固定するようにしてもよい。貫通バネ２３０の形状についても、リアカバー１２０側に固定が可能で、各凸部２３５，２３６が外側への弾性力を持つ形状であれば、その他の形状でもよい。
【符号の説明】
【００３５】
１００…携帯電話端末装置、１０１…第１アンテナ、１０２…第２アンテナ、１１０…フロントカバー、１２０…リアカバー、１２１…裏面部、１２２…開口部、１２３…ピン、２００…ストラップリング、２０１…切り欠き部、２０２，２０３…端部、２１１，２１２…透孔、２２０…軸受け部材、２２１…平板部、２２２…取り付け用孔、２２３，２２４…直立部、２２５，２２６…軸受け用孔、２３０…貫通バネ、２３１…平板部、２３２…取り付け用孔、２３３，２３４…直立部、２３５，２３６…凸部、２４０，２５０…軸部材、２６０，２７０…ワッシャ、３００…端子部、３０１…端子部品
【図１】
2010278915.tif 000003
【図２】
2010278915.tif 000004
【図３】
2010278915.tif 000005
【図４】
2010278915.tif 000006
【図５】
2010278915.tif 000007
【図６】
2010278915.tif 000008